(57)【特許請求の範囲】
【請求項１】
移動体端末と複数の基地局装置とを備える無線通信システムであって、
前記移動体端末は、複数の周波数帯を使用していずれかの基地局装置と通信を行うことが可能な通信手段を含み、
前記基地局装置は、
前記移動体端末と通信するための通信手段と、
少なくとも他の一つの基地局装置との間で前記移動体端末のハンドオーバに必要な処理を行うためのハンドオーバ手段とを含み、
前記基地局装置の通信手段は、複数の周波数帯を使用した通信が可能な場合に、当該複数の周波数帯のうち主たる周波数帯を識別するための情報を、それ以外の周波数帯とは区別可能な態様で前記移動体端末へ通知し、
前記移動体端末の通信手段は、第１の基地局装置と通信接続中において、第２の基地局装置から主たる周波数帯を識別するための情報を受信した後、当該第２の基地局装置へのハンドオーバが必要になると、当該第２の基地局装置が使用する複数の周波数帯のうち、当該情報によって特定される周波数帯にてハンドオーバ準備手続を行ない、当該第２の基地局装置へのハンドオーバを実施する、無線通信システム。
【請求項２】
前記基地局装置の通信手段は、前記主たる周波数帯を使用して対応する識別情報を送信するとともに、それ以外の周波数帯を使用して無効な識別情報を送信する、請求項１に記載の無線通信システム。
【請求項３】
前記基地局装置の通信手段は、前記主たる周波数帯を使用して対応する識別情報を送信するとともに、それ以外の周波数帯については識別情報を送信しない、請求項１に記載の無線通信システム。
【請求項４】
前記識別情報は、セルＩＤを含む、請求項２または３に記載の無線通信システム。
【請求項５】
前記基地局装置の通信手段は、周波数帯に対応する識別情報を報知情報に含めて送信する、請求項２〜４のいずれか１項に記載の無線通信システム。
【請求項６】
前記識別情報は、物理セルＩＤを含む、請求項２に記載の無線通信システム。
【請求項７】
前記ハンドオーバ手段は、上位ネットワークに対して、主たる周波数帯以外の周波数帯に関連付けられたセルへのデータを主たる周波数帯に関連付けられたセルへ転送するように通知し、
前記基地局装置の通信手段は、前記上位ネットワークから受信した主たる周波数帯に関連付けられたセル宛のデータを、主たる周波数帯および主たる周波数帯以外の周波数帯を用いて前記移動体端末へ送信する、請求項１〜６のいずれか１項に記載の無線通信システム。
【請求項８】
移動体端末と複数の基地局装置との間の通信方法であって、
複数の周波数帯を使用した通信が可能な場合に、当該複数の周波数帯のうち主たる周波数帯を識別するための情報を、それ以外の周波数帯とは区別可能な態様で前記基地局装置から前記移動体端末へ通知するステップと、
前記移動体端末が、第１の基地局装置と通信接続中において、第２の基地局装置から主たる周波数帯を識別するための情報を受信した後、当該第２の基地局装置へのハンドオーバが必要になると、当該第２の基地局装置が使用する複数の周波数帯のうち、当該情報によって特定される周波数帯にてハンドオーバ準備手続を行ない、当該第２の基地局装置へのハンドオーバを実施するステップと、
特定された周波数帯を用いた前記移動体端末からの要求に応答して、前記第２の基地局装置が前記第１の基地局装置との間でハンドオーバを行うステップと、
前記移動体端末が、複数の周波数帯を使用して前記第２の基地局装置と通信するステップとを含む、通信方法。
【請求項９】
複数の周波数帯を使用して移動体端末と通信可能な基地局装置であって、
前記移動体端末と通信するための通信手段と、
少なくとも他の一つの基地局装置との間で前記移動体端末のハンドオーバに必要な処理を行うためのハンドオーバ手段とを備え、
前記通信手段は、複数の周波数帯を使用した通信が可能な場合に、ハンドオーバ準備手続の前に、当該複数の周波数帯のうち主たる周波数帯を使用して対応する識別情報を前記移動体端末へ送信するとともに、それ以外の周波数帯を使用して無効な識別情報を前記移動体端末へ送信する、基地局装置。
【請求項１０】
複数の周波数帯を使用して移動体端末と通信可能な基地局装置であって、
前記移動体端末と通信するための通信手段と、
少なくとも他の一つの基地局装置との間で前記移動体端末のハンドオーバに必要な処理を行うためのハンドオーバ手段とを備え、
前記通信手段は、複数の周波数帯を使用した通信が可能な場合に、ハンドオーバ準備手続の前に、当該複数の周波数帯のうち主たる周波数帯を使用して対応する識別情報を前記移動体端末へ送信するとともに、それ以外の周波数帯については識別情報を前記移動体端末へ送信しない、基地局装置。
【請求項１１】
前記移動体端末は、別の基地局装置と通信接続中において、前記基地局装置から主たる周波数帯に対応する識別情報を受信した後、前記基地局装置へのハンドオーバが必要になると、前記基地局装置が使用する複数の周波数帯のうち、前記識別情報によって特定される周波数帯にてハンドオーバ準備手続を行ない、
前記ハンドオーバ準備手続の実行後、前記基地局装置の前記ハンドオーバ手段は、前記別の基地局装置との間で前記移動体端末のハンドオーバに必要な処理を実行する、請求項９または１０に記載の基地局装置。
【請求項１２】
複数の周波数帯を使用して基地局装置と通信可能な移動体端末であって、
複数の周波数帯を使用した通信が可能な場合に、前記基地局装置から送信される当該複数の周波数帯のうち主たる周波数帯を識別するための情報を受信するための手段を備え、前記主たる周波数帯を識別するための情報は、それ以外の周波数帯とは区別可能な態様で通知されており、さらに
第１の基地局装置と通信接続中において、第２の基地局装置から主たる周波数帯を識別するための情報を受信した後、当該第２の基地局装置へのハンドオーバが必要になると、当該第２の基地局装置が使用する複数の周波数帯のうち、当該情報によって特定される周波数帯にてハンドオーバ準備手続を行ない、当該第２の基地局装置へのハンドオーバを実施するための手段を備える、移動体端末。
【発明の詳細な説明】
【技術分野】
【０００１】
本発明は、移動体端末と複数の基地局装置とを含む無線通信システム、その無線通信システムにおける通信方法、ならびに、その無線通信システムに向けられた基地局装置および移動体端末に関し、特に、基地局装置が複数の周波数帯を使用して移動体端末と通信できる構成に関するものである。
【背景技術】
【０００２】
現在、３ＧＰＰ（Third Generation Partnership Project）は、次世代通信方式である、ＬＴＥ（Long Term Evolution）、および、ＬＴＥを発展させた規格であるＬＴＥ−Ａ（LTE-Advanced）において、通常の発展型基地局（evolved Node B：以下「ｅＮＢ」とも称す。）に加えて、小型の発展型無線基地局（Home evolved Node B：以下「ＨｅＮＢ」とも称す。）の導入について検討を進めている。このＨｅＮＢは、サービスエリアの拡張および個人使用等を目的とするものである。
【０００３】
一般的に、ＨｅＮＢは、ｅＮＢによって提供されるセルエリアより小さくセルエリアを提供することが想定されている。以下では、ｅＮＢによって提供されるセルを「マクロセル」とも称し、ＨｅＮＢによって提供されるセルを「ホームセル」とも称す。
【０００４】
ｅＮＢ（マクロセル）と通信接続中の移動体端末（User Equipment）のＨｅＮＢへのハンドオーバ（ＨｅＮＢへのｉｎｂｏｕｎｄハンドオーバ）については、既に決定されている（非特許文献１および非特許文献２参照）。すなわち、非特許文献１は、移動体端末がいずれかのｅＮＢと通信接続中に、ハンドオーバ先としてＨｅＮＢを選択した場合の処理を開示する。
【０００５】
また、３ＧＰＰでは、ＬＴＥ−Ａ向けにキャリアアグリゲーション（Carrier Aggregation）の導入が検討されている。キャリアアグリゲーションとは、サポート可能な最大送信帯域幅を、ＬＴＥの最大送信帯域幅である２０ＭＨｚから１００ＭＨｚまで拡張させるための技術である。このような１００ＭＨｚの帯域をサポートするために、ＬＴＥの最大送信帯域幅である２０ＭＨｚに相当するコンポーネントキャリアを複数使用して、移動体端末と基地局装置との間でデータ送受信を行うことが想定されている。
【先行技術文献】
【特許文献】
【０００６】
【特許文献１】特開平１１−０６９４１２号公報
【特許文献２】特開２００６−１２９１９４号公報
【特許文献３】特開２００８−３０１０８６号公報
【特許文献４】特開２０１０−０６２７１１号公報
【特許文献５】特開２０１１−０１０２１０号公報
【非特許文献】
【０００７】
【非特許文献１】3GPP Organizational Partners, "3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 11)", 3GPP TS 36.300 V11.0.0 (2011-12)
【非特許文献２】3GPP Organizational Partners, "3rd Generation Partnership Project; Technical Specification Group Radio Access Network; Evolved Universal Terrestrial Radio Access (E-UTRA); Radio Resource Control (RRC); Protocol specification (Release 10)", 3GPP TS 36.331 V10.4.0 (2011-12)
【発明の概要】
【発明が解決しようとする課題】
【０００８】
上述のキャリアアグリゲーションでは、各コンポーネントキャリアは論理的なセルとして取り扱われる。そのため、キャリアアグリゲーション使用時において、ｅＮＢ（マクロセル）では、それぞれのコンポーネントキャリアに対して異なるセル識別子（以下「セルＩＤ」とも称す。）が割当てられる。
【０００９】
一方、ＨｅＮＢ（ホームセル）では、規格上、セルＩＤを１つのみで運用すると定められている。
【００１０】
そのため、ＨｅＮＢでキャリアアグリゲーションを使用することを考えると、セルＩＤが１つしか割当てられていないため、複数のコンポーネントキャリアの間で同一のセルＩＤを使用せざるを得ず、移動体端末がＨｅＮＢへのｉｎｂｏｕｎｄハンドオーバを行う際に、いずれのコンポーネントキャリア（セル）へハンドオーバすべきであるかをセルＩＤのみでは区別できないという課題がある。
【００１１】
そこで、本発明は、かかる問題を解決するためになされたものであり、その目的は、複数の周波数帯を使用して通信している基地局装置へのハンドオーバ動作を簡素化できる、無線通信システム、通信方法、基地局装置、および移動体端末を提供することである。
【課題を解決するための手段】
【００１２】
本発明のある局面に従えば、移動体端末と複数の基地局装置とを備える無線通信システムが提供される。移動体端末は、複数の周波数帯を使用していずれかの基地局装置と通信を行うことが可能な通信手段を含む。基地局装置は、移動体端末と通信するための通信手段と、少なくとも他の一つの基地局装置との間でハンドオーバを行うためのハンドオーバ手段とを含む。基地局装置の通信手段は、複数の周波数帯を使用した通信が可能な場合に、当該複数の周波数帯のうち主たる周波数帯を識別するための情報を、それ以外の周波数帯とは区別可能な態様で移動体端末へ通知する。移動体端末の通信手段は、第１の基地局装置と通信接続中において、第２の基地局装置から主たる周波数帯を識別するための情報を受信すると、当該情報によって特定される周波数帯を当該第２の基地局装置へのハンドオーバの対象として決定する。
【００１３】
好ましくは、基地局装置の通信手段は、主たる周波数帯を使用して対応する識別情報を送信するとともに、それ以外の周波数帯を使用して無効な識別情報を送信する。
【００１４】
好ましくは、基地局装置の通信手段は、主たる周波数帯を使用して対応する識別情報を送信するとともに、それ以外の周波数帯については識別情報を送信しない。
【００１５】
さらに好ましくは、識別情報は、セルＩＤを含む。
好ましくは、基地局装置の通信手段は、周波数帯に対応する識別情報を報知情報に含めて送信する。
【００１６】
好ましくは、識別情報は、物理セルＩＤを含む。
好ましくは、ハンドオーバ手段は、上位ネットワークに対して、主たる周波数帯以外の周波数帯に関連付けられたセルへのデータを主たる周波数帯に関連付けられたセルへ転送するように通知し、基地局装置の通信手段は、上位ネットワークから受信した主たる周波数帯に関連付けられたセル宛のデータを、主たる周波数帯および主たる周波数帯以外の周波数帯を用いて移動体端末へ送信する。
【００１７】
本発明の別の局面に従えば、移動体端末と複数の基地局装置との間の通信方法が提供される。通信方法は、複数の周波数帯を使用した通信が可能な場合に、当該複数の周波数帯のうち主たる周波数帯を識別するための情報を、それ以外の周波数帯とは区別可能な態様で基地局装置から移動体端末へ通知するステップと、移動体端末が、第１の基地局装置と通信接続中において、第２の基地局装置から主たる周波数帯を識別するための情報を受信すると、当該情報によって特定される周波数帯を当該第２の基地局装置へのハンドオーバの対象として決定するステップと、特定された周波数帯を用いた移動体端末からの要求に応答して、第２の基地局装置が第１の基地局装置との間でハンドオーバを行うステップと、移動体端末が、複数の周波数帯を使用して第２の基地局装置と通信するステップとを含む。
【００１８】
本発明のさらに別の局面に従えば、複数の周波数帯を使用して移動体端末と通信可能な基地局装置が提供される。基地局装置は、移動体端末と通信するための通信手段と、少なくとも他の一つの基地局装置との間でハンドオーバを行うためのハンドオーバ手段とを含む。通信手段は、複数の周波数帯を使用した通信が可能な場合に、当該複数の周波数帯のうち主たる周波数帯を識別するための情報を、それ以外の周波数帯とは区別可能な態様で移動体端末へ通知する。
【００１９】
本発明のさらに別の局面に従えば、複数の周波数帯を使用して基地局装置と通信可能な移動体端末が提供される。移動体端末は、複数の周波数帯を使用した通信が可能な場合に、基地局装置から送信される当該複数の周波数帯のうち主たる周波数帯を識別するための情報を受信するための手段を含む。主たる周波数帯を識別するための情報は、それ以外の周波数帯とは区別可能な態様で通知されている。移動体端末は、さらに、第１の基地局装置と通信接続中において、第２の基地局装置から主たる周波数帯を識別するための情報を受信すると、当該情報によって特定される周波数帯を当該第２の基地局装置へのハンドオーバの対象として決定するための手段を含む。
【発明の効果】
【００２０】
本発明によれば、複数の周波数帯を使用して通信している基地局装置へのハンドオーバ動作を簡素化できる。
【図面の簡単な説明】
【００２１】
【図１】実施の形態において想定されている無線通信システムの全体構成を示す模式図である。
【図２】キャリアアグリゲーションの概念を示す模式図である。
【図３】現在のＬＴＥ／ＬＴＥ−Ａ規格に従うキャリアアグリゲーション時の報知情報の内容を説明するための模式図である。
【図４】図１に示す無線通信システムにおいて使用されるのハードウェア構成を示すブロック図である。
【図５】図１に示す無線通信システムにおいて使用されるのハードウェア構成を示すブロック図である。
【図６】図１に示す無線通信システムにおいて使用されるコアネットワーク制御装置のハードウェア構成を示すブロック図である。
【図７】図１に示す無線通信システムにおいて使用される移動体端末のハードウェア構成を示すブロック図である。
【図８】実施の形態１に従うキャリアアグリゲーション時の報知情報の内容を説明するための模式図である。
【図９】実施の形態１に従う無線通信システムにおけるハンドオーバ動作を示すシーケンスチャートである。
【図１０】実施の形態１に従う無線通信システムの移動体端末におけるハンドオーバに係る処理手順を示すフローチャートである。
【図１１】実施の形態２に従うキャリアアグリゲーション時の報知情報の内容を説明するための模式図である。
【図１２】実施の形態２に従う無線通信システムにおけるハンドオーバ動作を示すシーケンスチャートである。
【図１３】実施の形態２に従う無線通信システムの移動体端末におけるハンドオーバに係る処理手順を示すフローチャートである。
【図１４】実施の形態３に従うキャリアアグリゲーション時の同期信号の内容を説明するための模式図である。
【図１５】実施の形態３に従う無線通信システムにおけるハンドオーバ動作を示すシーケンスチャートである。
【図１６】実施の形態３に従う無線通信システムの移動体端末におけるハンドオーバに係る処理手順を示すフローチャートである。
【発明を実施するための形態】
【００２２】
本発明の実施の形態について、図面を参照しながら詳細に説明する。なお、図中の同一または相当部分については、同一符号を付してその説明は繰返さない。
【００２３】
＜Ａ．無線通信システムの全体構成＞
図１は、実施の形態において想定されている無線通信システムＳＹＳの全体構成を示す模式図である。典型的な一例として、無線通信システムＳＹＳは、ＬＴＥ規格またはＬＴＥ−Ａ規格に従う通信方式をサポートしているとする。
【００２４】
図１を参照して、無線通信システムＳＹＳは、発展型基地局（evolved Node B：以下「ｅＮＢ」とも称す。）２００−１〜２００−３と、小型の発展型無線基地局（Home evolved Node B：以下「ＨｅＮＢ」とも称す。）１００とを含む。なお、ｅＮＢおよびＨｅＮＢを総称して、単に「基地局装置」と称する場合もある。ＨｅＮＢ１００は、セルエリア１０１Ｃをカバーし、ｅＮＢ２００−１〜２００−３は、セルエリア２０１Ｃ〜２０３Ｃをそれぞれカバーする。ｅＮＢ２００−１〜２００−３を「ｅＮＢ２００」と総称する場合もある。なお、ｅＮＢおよびＨｅＮＢの数は、システムに応じて適宜設定される。
【００２５】
上述したように、ＬＴＥ／ＬＴＥ−Ａ規格においては、サービスエリアの拡張および個人使用等を目的として、ＨｅＮＢの導入が検討されているため、ＨｅＮＢ１００によって提供されるセルエリア１０１Ｃは、ｅＮＢ２００−１〜２００−３によって提供されるセルエリア２０１Ｃ〜２０３Ｃより小さいものとなっている。ｅＮＢ２００によって提供されるセルを「マクロセル」とも称し、ＨｅＮＢ１００によって提供されるセルを「ホームセル」とも称す。
【００２６】
各基地局装置は、少なくとも１つのゲートウェイと接続される。各ゲートウェイは、接続先の基地局装置を管理するとともに、広域ネットワークを構成するためのコアネットワーク３５０に接続される。コアネットワーク３５０では、コアネットワーク制御装置３００がユーザパケットのルーティングなどを行う。ゲートウェイの各々には、少なくとも１つ（一般的には複数）の基地局装置が接続される。なお、ＬＴＥ／ＬＴＥ−Ａ規格では、コアネットワーク３５０は、すべての情報がパケット化されたネットワークとなることが想定されている。
【００２７】
ＨｅＮＢ１００はゲートウェイ１５０と接続されており、ｅＮＢ２００−１〜２００−３は、ゲートウェイ２５０と接続されているとする。なお、ゲートウェイの数やトポロジーについても、システムに応じて適宜設定される。ゲートウェイ１５０および２５０は、ＭＭＥ（Mobility Management Entity）機能を含む。ＭＭＥ機能は、パケット通信用のセッション（接続）の設定・開放や、ハンドオーバ（基地局装置の切換）といった制御を行う。
【００２８】
コアネットワーク制御装置３００は、ＳＡＥゲートウェイ（System Architecture Evolution Gateway）機能を含む。ＳＡＥゲートウェイ機能は、コアネットワーク３５０におけるユーザパケットのルーティングを行う。
【００２９】
このような構成を採用することで、異なるセルエリア内に存在する移動体端末（User Equipment）４００同士での通信が可能となる。
【００３０】
通常、移動体端末４００は、ユーザによって担持されており、ユーザの移動に伴って、セルの間を移動する。これらの移動体端末４００がいずれかのセルエリア内に存在すれば、当該セルエリアを管理する基地局装置および対応するゲートウェイによって、通信サービスを受けることになる。この移動体端末４００がいずれかのセルエリアから別のセルエリアへ移動することによって、ハンドオーバ動作が開始される。ハンドオーバ動作は、移動体端末４００と基地局装置との間で遣り取りされる電波の状況などに応じて適宜開始される場合もある。
【００３１】
＜Ｂ．キャリアアグリゲーション（Carrier Aggregation）＞
図１に示す無線通信システムＳＹＳのＨｅＮＢ１００は、キャリアアグリゲーション機能を搭載しているとする。
【００３２】
図２は、キャリアアグリゲーションの概念を示す模式図である。図２を参照して、キャリアアグリゲーションは、サポート可能な最大送信帯域幅を拡張させるための技術である。典型的には、ＬＴＥ規格の最大送信帯域幅（一例として、２０ＭＨｚ）を１００ＭＨｚまで拡張する。具体的には、ＬＴＥ規格の最大送信帯域幅に相当するコンポーネントキャリアを複数使用して、移動体端末との間でデータ送受信を行う。
【００３３】
典型的には、図２（Ａ）に示すように、異なる周波数帯（ｆ１，ｆ２，…，ｆ５）をそれぞれ中心とした複数の周波数帯をそれぞれ設定し、これらの周波数帯のうち通信に使用する周波数帯が状況に応じて選択される。すなわち、ＨｅＮＢ１００は、複数の周波数帯のうち少なくとも１つの周波数帯を選択的に使用して移動体端末と通信を行うことが可能となっている。
【００３４】
このようなキャリアアグリゲーションの技術を用いることで、ＬＴＥ規格とのバックワード・コンパチビリィティ（後方互換性）を維持することができる。
【００３５】
但し、無線通信システムＳＹＳが運用される国や地域などの電波割当て状況などによって、図２（Ｂ）に示すように、周波数領域において離散的にコンポーネントキャリアを配置せざるを得ない場合もある。
【００３６】
図１に示すＨｅＮＢ１００だけではなく、ｅＮＢについても、キャリアアグリゲーション機能を搭載している場合がある。
【００３７】
＜Ｃ．課題および解決手段の概要＞
キャリアアグリゲーションでは、各コンポーネントキャリアは論理的なセルとして取り扱われる。すなわち、移動体端末４００から見れば、複数のコンポーネントキャリア（周波数帯）をそれぞれ「セル」として認識する。
【００３８】
一方、現在のＬＴＥ／ＬＴＥ−Ａ規格では、ＨｅＮＢでは、セルＩＤを１つのみで運用すると定められている。そのため、ＨｅＮＢ１００においてキャリアアグリゲーションを使用することを考えると、複数のコンポーネントキャリアの間で同一のセルＩＤを使用せざるを得ない。
【００３９】
図１に示すように、ｅＮＢ２００−１と通信接続中である移動体端末４００がＨｅＮＢ１００と通信可能なエリアに入り、ＨｅＮＢ１００へハンドオーバしようとしているような状況を考える。
【００４０】
しかしながら、このようなマクロセル基地局であるｅＮＢ２００−１からホームセル基地局であるＨｅＮＢ１００への移動体端末４００によるｉｎｂｏｕｎｄハンドオーバを行う際に、移動体端末４００は、いずれのコンポーネントキャリア（セル）へハンドオーバすべきであるかをセルＩＤのみでは区別できない。
【００４１】
図３を参照して、より具体的な通信処理について説明する。
図３は、現在のＬＴＥ／ＬＴＥ−Ａ規格に従うキャリアアグリゲーション時の報知情報の内容を説明するための模式図である。図３を参照して、一例として、ＨｅＮＢ１００は２つのコンポーネントキャリアを用いたキャリアアグリゲーションを行っているとする。
【００４２】
キャリアアグリゲーションで用いられる複数のコンポーネントキャリアは、１つの主たる周波数帯域（Primary Component Carrier：以下、「ＰＣＣ」とも称す。）と、１つ以上の副たる周波数帯域（Secondary Component Carrier：以下、「ＳＣＣ」とも称す。）とで構成される。図３に示す例では、ＨｅＮＢ１００は、周波数ｆ１のＰＣＣと、周波数ｆ２のＳＣＣとを運用しているとする。移動体端末４００は、異周波測定を行うことによって、ＨｅＮＢ１００が送信しているコンポーネントキャリア（ＰＣＣおよびＳＣＣ）を受信できる。ＨｅＮＢ１００は、コンポーネントキャリア毎に報知情報を送信する。現在のＬＴＥ／ＬＴＥ−Ａ規格では、ＨｅＮＢ１００からコンポーネントキャリア毎に送信される報知情報には、同じセルＩＤが含まれることになる。そのため、移動体端末４００は、ＨｅＮＢ１００へのｉｎｂｏｕｎｄハンドオーバを行う際に、セルＩＤによっては、いずれのコンポーネントキャリアへ移動すべきであるのかを判断できない。
【００４３】
そこで、以下に説明する実施の形態１〜３においては、キャリアアグリゲーションを行っているＨｅＮＢ１００へのｉｎｂｏｕｎｄハンドオーバ時における上述のような課題を解決する。
【００４４】
要約すると、本実施の形態に従う無線通信システムＳＹＳは、移動体端末４００と複数の基地局装置（ＨｅＮＢ１００およびｅＮＢ２００）とを有している。移動体端末４００は、複数の周波数帯（コンポーネントキャリア）を使用していずれかの基地局装置と通信を行うことが可能である。基地局装置は、移動体端末４００と通信するための通信手段と、少なくとも他の一つの基地局装置との間でハンドオーバを行うためのハンドオーバ手段とを含む。そして、ＨｅＮＢ１００は、複数の周波数帯（コンポーネントキャリア）を使用した通信（キャリアアグリゲーション）が可能な場合に、当該複数の周波数帯のうち主たる周波数帯（ＰＣＣ）を識別するための情報を、それ以外の周波数帯（ＳＣＣ）とは区別可能な態様で移動体端末４００へ通知する。移動体端末４００は、ｅＮＢ２００−１と通信接続中において、ＨｅＮＢ１００から主たる周波数帯（ＰＣＣ）を識別するための情報を受信すると、当該情報によって特定される周波数帯をＨｅＮＢ１００へのハンドオーバの対象セルとして決定する。
【００４５】
キャリアアグリゲーションの運用中に、複数の周波数帯（コンポーネントキャリア）のうち主たる周波数帯（ＰＣＣ）を識別するための情報を、それ以外の周波数帯（ＳＣＣ）とは区別可能な態様で通知する例として、以下のような形態について説明する。
【００４６】
（１）ＰＣＣから本来のセルＩＤを含む報知情報を送信する一方で、ＳＣＣからはダミーセルＩＤを含んだ報知情報を送信する
（２）ＰＣＣから本来のセルＩＤを含む報知情報を送信する一方で、ＳＣＣからは報知情報を送信しない
（３）ＳＣＣを示す物理セルＩＤ（Physical Cell Identifier：以下「ＰＣＩ」とも称す。）として通常ホームセルに使用される値を設定して送信する一方で、ＳＣＣを示すＰＣＩとして予約された特殊な値を設定して送信する
＜Ｄ．装置構成＞
まず、図１に示す無線通信システムＳＹＳを構成する各主体のハードウェア構成について説明する。
【００４７】
［ｄ１：基地局装置（ＨｅＮＢ１００）の構成］
図１に示す無線通信システムＳＹＳにおいて使用される基地局装置（ＨｅＮＢ１００）の構成について説明する。図４は、図１に示す無線通信システムＳＹＳにおいて使用されるＨｅＮＢ１００のハードウェア構成を示すブロック図である。
【００４８】
図４を参照して、ＨｅＮＢ１００は、アンテナ送受信部１０２と、ＰＣＩ生成部１０４と、報知情報生成部１０６と、コアネットワーク通信部１１０と、ＰＣＣスケジューラ１１２と、ＳＣＣスケジューラ１１４とを含む。
【００４９】
アンテナ送受信部１０２は、通信制御部１０８から受信したユーザデータまたは制御データに応じた無線信号を生成してアンテナからその無線信号を放射する。ユーザデータは、移動体端末４００と相手先（あるいは、中継先）との間で遣り取りされるデータを意味する。アンテナ送受信部１０２は、アンテナを介して移動体端末４００から受信した無線信号をユーザデータまたは制御データに復調してその復調したデータを通信制御部１０８へ出力する。すなわち、アンテナ送受信部１０２は、移動体端末４００と通信するための通信手段に相当する。
【００５０】
ＰＣＩ生成部１０４は、物理セルＩＤ（ＰＣＩ）を生成する。より具体的には、ＨｅＮＢ１００がキャリアアグリゲーションを行っている場合において、ＰＣＩ生成部１０４は、各コンポーネントキャリアについてＰＣＩを生成する。生成されたＰＣＩは、移動体端末４００に対する同期信号に用いられる。
【００５１】
報知情報生成部１０６は、各コンポーネントキャリアから送信される報知情報を生成する。報知情報は、対応するコンポーネントキャリアを示すセルＩＤなどを含む。
【００５２】
通信制御部１０８は、ＨｅＮＢ１００の全体処理を制御する主体であり、アンテナ送受信部１０２を介して移動体端末４００との間で音声やデータなどを遣り取りするとともに、コアネットワーク通信部１１０を介してコアネットワーク３５０との間で音声やデータなどを遣り取りする。
【００５３】
また、通信制御部１０８は、他の基地局装置（ＨｅＮＢ１００およびｅＮＢ２００）との間でのハンドオーバに関する処理を行う。なお、ＬＴＥ／ＬＴＥ−Ａ規格においては、Ｓ１インターフェイスおよびＸ２インターフェイスの２種類が用意される。Ｓ１インターフェイスは、基地局装置と対応するゲートウェイとの間のそれぞれの制御チャネルを利用してハンドオーバを行うものである。Ｘ２インターフェイスは、基地局装置間を疑似的に直接接続して、コアネットワークでのデータ処理を介さずにハンドオーバを行うものである。本実施の形態においては、いずれのインターフェイスを採用してもよい。すなわち、通信制御部１０８は、少なくとも他の一つの基地局装置との間でハンドオーバを行うためのハンドオーバ手段に相当する。
【００５４】
コアネットワーク通信部１１０は、自局を管理するゲートウェイを介して、コアネットワーク３５０（コアネットワーク制御装置３００）との間でユーザデータ、制御情報、および管理情報等を遣り取りする。
【００５５】
ＰＣＣスケジューラ１１２およびＳＣＣスケジューラ１１４は、移動体端末４００との間の通信に用いられる時間−周波数空間に対して、送信および受信される情報を適宜割当てる。すなわち、限られた時間−周波数空間においてより効率的に情報が伝送できるように、各情報の伝送タイミング（時間）および使用する周波数（キャリア）を予め指定する。ＰＣＣスケジューラ１１２は、ＰＣＣが提供する時間−周波数空間における情報のスケジューリングを行い、ＳＣＣスケジューラ１１４は、ＳＣＣが提供する時間−周波数空間における情報のスケジューリングを行う。
【００５６】
図４に示すＨｅＮＢ１００を構成するそれぞれの機能は、不揮発性メモリなどに予め格納されるプログラムをプロセッサが実行することで実現されてもよい。この場合には、ＣＰＵ（Central Processing Unit）やＤＳＰ（Digital Signal Processor）といった演算装置（プロセッサ）が予めインストールされた命令セットを実行することになる。
【００５７】
あるいは、図４に示す機能の一部または全部を専用のハードウェア（典型的には、集積回路）として実装してもよい。この場合には、すべての機能を実現する回路を１チップ化してもよい。さらに、プロセッサ、メモリ、周辺デバイス用のコントローラといった部品を１チップ化したＳｏＣ（System On a Chip）を使用することもできる。
【００５８】
［ｄ２：基地局装置（ｅＮＢ２００）の構成］
次に、図１に示す無線通信システムＳＹＳにおいて使用される基地局装置（ｅＮＢ２００）の構成について説明する。図５は、図１に示す無線通信システムＳＹＳにおいて使用されるｅＮＢ２００のハードウェア構成を示すブロック図である。
【００５９】
図５を参照して、ｅＮＢ２００は、アンテナ送受信部２０２と、ＰＣＩ生成部２０４と、報知情報生成部２０６と、通信制御部２０８と、コアネットワーク通信部２１０と、スケジューラ２１２とを含む。図５に示すｅＮＢ２００の基本的な構成は、図４に示すＨｅＮＢ１００と同様である。すなわち、アンテナ送受信部２０２、ＰＣＩ生成部２０４、報知情報生成部２０６、通信制御部２０８、およびコアネットワーク通信部２１０は、アンテナ送受信部１０２、ＰＣＩ生成部１０４、報知情報生成部１０６、通信制御部１０８、およびコアネットワーク通信部１１０とそれぞれ同様の機能を提供する。但し、ｅＮＢ２００がキャリアアグリゲーションをサポートしていない場合には、ＰＣＣスケジューラ１１２およびＳＣＣスケジューラ１１４に代えて、スケジューラ２１２が実装される。
【００６０】
ＨｅＮＢ１００と同様に、図５に示すｅＮＢ２００を構成するそれぞれの機能は、ソフトウェアおよびハードウェアのいずれで実現してもよい。
【００６１】
［ｄ３：コアネットワーク制御装置３００の構成］
次に、図１に示す無線通信システムＳＹＳにおいて使用されるコアネットワーク制御装置３００の構成について説明する。図６は、図１に示す無線通信システムＳＹＳにおいて使用されるコアネットワーク制御装置３００のハードウェア構成を示すブロック図である。
【００６２】
図６を参照して、コアネットワーク制御装置３００は、主処理部３０２と、コアネットワーク通信部３０４と、バックボーン通信部３０６と、データ格納部３０８とを含む。
【００６３】
主処理部３０２は、コアネットワーク制御装置３００の全体処理を制御する主体であり、コアネットワーク内でのユーザパケットのルーティングなどを行う。
【００６４】
コアネットワーク通信部３０４は、ゲートウェイを介していずれかの基地局装置から送信されるユーザパケットなどを目的の基地局装置へ転送する。
【００６５】
バックボーン通信部３０６は、ゲートウェイを介して基地局装置から送信されたデータのうち外部ネットワークへ向けられたものをバックボーンへ送出する。また、バックボーン通信部３０６は、バックボーンを介して他の装置から受信したいずれかの移動体端末４００へ向けられたデータを受信し、主処理部３０２へ出力する。
【００６６】
データ格納部３０８は、ルーティングテーブル３１０および在圏情報３１２を保持する。
【００６７】
ルーティングテーブル３１０は、コアネットワークおよびバックボーンにそれぞれ存在する通信主体のネットワーク情報などを含む。いずれかの通信主体が宛先として指定されたパケットを受信すると、主処理部３０２は、ルーティングテーブル３１０を参照して、目的の宛先に当該パケットを伝送するためのネットワーク経路を特定する。
【００６８】
在圏情報３１２は、移動体端末４００の各々が存在するセルエリアの情報を含む。ある移動体端末４００へのパケットを受信すると、主処理部３０２は、在圏情報３１２を参照して当該パケットを転送すべき基地局装置（セル）を特定する。
【００６９】
後述するように、本実施の形態においては、キャリアアグリゲーションを運用中において、移動体端末４００と通信を行うＳＣＣに対応するセル宛のパケットについては、組になるＰＣＣに対応するセル宛へ転送するように設定される。すなわち、コアネットワーク制御装置３００は、基地局装置（ＨｅＮＢ１００）からの要求を受けて、キャリアアグリゲーションに適したルーティングを行うこともできる。
【００７０】
上述の基地局装置（ＨｅＮＢ１００およびｅＮＢ２００）と同様に、図６に示すコアネットワーク制御装置３００を構成するそれぞれの機能は、ソフトウェアおよびハードウェアのいずれで実現してもよい。
【００７１】
［ｄ４：移動体端末４００の構成］
次に、図１に示す無線通信システムＳＹＳにおいて使用される移動体端末４００の構成について説明する。図７は、図１に示す無線通信システムＳＹＳにおいて使用される移動体端末４００のハードウェア構成を示すブロック図である。
【００７２】
図７を参照して、移動体端末４００は、アンテナ４０２と、受信部４０４と、ＰＣＩ判定部４０６と、報知情報判定部４０８と、送信部４１０と、通信制御部４１２と、アプリケーション部４１４とを含む。
【００７３】
受信部４０４は、アンテナ４０２を介して受信した無線信号に対して復調および復号化を行って、その結果得られた情報を通信制御部４１２およびアプリケーション部４１４などへ出力する。送信部４１０は、通信制御部４１２およびアプリケーション部４１４から受けた情報に対して符号化および変調を行って、その結果得られる無線信号をアンテナ４０２から放射する。
【００７４】
受信部４０４および送信部４１０は、複数のコンポーネントキャリア（周波数帯）を用いた通信をサポートしており、複数の周波数帯を用いて並列的に無線信号を送受信可能である。すなわち、アンテナ４０２、受信部４０４および送信部４１０は、複数の周波数帯を使用していずれかの基地局装置と通信を行うことが可能な通信手段に相当する。
【００７５】
ＰＣＩ判定部４０６は、基地局装置から通知される物理セルＩＤ（ＰＣＩ）の値を判定する。なお、ＰＣＩ判定部４０６は、後述の実施の形態３に従う構成において主として機能するものであり、実施の形態１または２に従う構成においては、ＰＣＩ判定部４０６を省略してもよい。
【００７６】
報知情報判定部４０８は、基地局装置から通知される報知情報の内容を判定する。より具体的には、報知情報判定部４０８は、基地局装置から通知される報知情報に含まれるセルＩＤを特定する。
【００７７】
通信制御部４１２は、移動体端末４００の全体処理を制御する主体であり、基地局装置との間のデータ送受信の制御に加えて、後述するようなキャリアアグリゲーションを行っているＨｅＮＢ１００へのｉｎｂｏｕｎｄハンドオーバ時における制御を行う。
【００７８】
アプリケーション部４１４は、移動体端末４００で実行される各種アプリケーション機能を提供する。
【００７９】
上述の基地局装置（ＨｅＮＢ１００およびｅＮＢ２００）と同様に、図７に示す移動体端末４００を構成するそれぞれの機能は、ソフトウェアおよびハードウェアのいずれで実現してもよい。
【００８０】
移動体端末４００は、各種情報を表示するためのディスプレイ、ユーザの音声などを取得するためのマイク、受信した音声を再生するためのスピーカ、およびユーザ操作を受付けるための入力部といった携帯電話としての構成を含む。
【００８１】
＜Ｅ：実施の形態１＞
［ｅ１：概要］
実施の形態１においては、キャリアアグリゲーションに使用される複数の周波数帯（コンポーネントキャリア）のうち、主たる周波数帯（ＰＣＣ）を識別するための情報を、それ以外の周波数帯（ＳＣＣ）とは区別可能な態様で移動体端末４００へ通知する例として、セルＩＤを用いる形態について説明する。
【００８２】
図８は、実施の形態１に従うキャリアアグリゲーション時の報知情報の内容を説明するための模式図である。図８に示すように、実施の形態１においては、ＰＣＣから送信される報知情報には通常のセルＩＤが含まれるようにする一方で、ＳＣＣから送信される報知情報にはダミーセルＩＤが含まれるようにする。すなわち、ＨｅＮＢ１００は、主たる周波数帯（ＰＣＣ）を使用して対応する識別情報を送信するとともに、それ以外の周波数帯（ＳＣＣ）を使用して無効な識別情報を送信する。
【００８３】
このように、ＰＣＣからはその周波数帯（周波数ｆ１）を用いて通常のセルＩＤを含む報知情報が送信され、ＳＣＣからはその周波数帯（周波数ｆ２）を用いて通常のダミーセルＩＤを含む報知情報が送信される。すなわち、ＨｅＮＢ１００は、周波数帯に対応する識別情報を報知情報に含めて送信する。
【００８４】
移動体端末４００は、ダミーセルＩＤを予め記憶しており、受信した報知情報に含まれるセルＩＤがダミーセルＩＤと一致するか否かを判断する。ダミーセルＩＤは、通常のセルＩＤとしては使用されないような値、例えば「００００」や「ＦＦＦＦ」といった値が用いられる。
【００８５】
移動体端末４００は、受信した報知情報にダミーセルＩＤが含まれている場合には、当該報知情報の送信元のコンポーネントキャリア（セル）がＳＣＣであると判断し、ハンドオーバの対象セルとはしない。これに対して、移動体端末４００は、受信した報知情報にダミーセルＩＤが含まれていない場合には、当該報知情報の送信元のコンポーネントキャリア（セル）がＰＣＣであると判断し、ハンドオーバの対象セルとする。
【００８６】
そして、移動体端末４００は、ハンドオーバの対象であるコンポーネントキャリアが決定されると、当該コンポーネントキャリア（セル）を管理する基地局装置（ＨｅＮＢ１００）との間でハンドオーバ準備手続を開始する。このハンドオーバ準備手続は、チャネル品質通知（ＣＱＩ：Channel Quality Indicator）といったハンドオーバを実行するために必要な情報を収集するｍｅａｓｕｒｅｍｅｎｔなどの処理を含む。
【００８７】
このとき、基地局装置（ＨｅＮＢ１００）は、ＳＣＣへのデータのルーティングが発生することを回避するために、コアネットワーク制御装置３００に対して、コアネットワーク３５０を介してＳＣＣへのルーティングが要求されるデータをＰＣＣへルーティングするように要求する。そして、ハンドオーバ完了後、移動体端末４００とＨｅＮＢ１００との間でキャリアアグリゲーションが確立すると、基地局装置（ＨｅＮＢ１００）は、ＰＣＣのセルＩＤを宛先とするデータをＰＣＣおよびＳＣＣへスケジューリングする。
【００８８】
すなわち、ＨｅＮＢ１００は、上位ネットワークであるコアネットワーク３５０に対して、主たる周波数（ＰＣＣ）帯以外の周波数帯（ＳＣＣ）に関連付けられたセルへのデータを主たる周波数帯に関連付けられたセルへ転送するように通知する。そして、ＨｅＮＢ１００は、コアネットワーク３５０から受信した主たる周波数帯に関連付けられたセル宛のデータを、主たる周波数帯および主たる周波数帯以外の周波数帯を用いて移動体端末４００へ送信する。
【００８９】
このような処理によって、移動体端末４００とＨｅＮＢ１００との間では、複数の周波数帯（コンポーネントキャリア）を用いたより高速な通信が可能になる。
【００９０】
［ｅ２：処理シーケンス］
次に、図９を参照して、実施の形態１に従う処理シーケンスについて説明する。図９は、実施の形態１に従う無線通信システムＳＹＳにおけるハンドオーバ動作を示すシーケンスチャートである。
【００９１】
図９を参照して、ある時点の状態として、図１に示すように、移動体端末４００がｅＮＢ２００（例えば、図１に示すｅＮＢ２００−１）と通信接続中であるとする（シーケンスＳＱ１００）。ここで、ｅＮＢ２００がハンドオーバ動作のソース基地局であり、ＨｅＮＢ１００がハンドオーバ動作のターゲット基地局であるとする。
【００９２】
ｅＮＢ２００−１に隣接するＨｅＮＢ１００は、ＰＣＣ（周波数ｆ１）および１つのＳＣＣ（周波数ｆ１）を使用したキャリアアグリゲーションを行っているとする。ＨｅＮＢ１００は、ＰＣＩ生成部１０４にて生成されたＰＣＩを含む同期信号、および、報知情報生成部１０６にて生成された通常のセルＩＤを含む報知情報を、アンテナ送受信部１０２からＰＣＣにて送信する（シーケンスＳＱ１０２）。また、ＨｅＮＢ１００は、ＰＣＩ生成部１０４にて生成されたＰＣＩを含む同期信号、および、報知情報生成部１０６にて生成されたダミーセルＩＤを含む報知情報を、アンテナ送受信部１０２からＳＣＣにて送信する（シーケンスＳＱ１０４）。なお、同期信号および報知情報の送信タイミングは、互いに任意に設定できる。
【００９３】
このように、ＨｅＮＢ１００は、複数の周波数帯（コンポーネントキャリア）を使用した通信（キャリアアグリゲーション）が可能な場合に、当該複数の周波数帯のうち主たる周波数帯（ＰＣＣ）を識別するための情報を、それ以外の周波数帯（ＳＣＣ）とは区別可能な態様で移動体端末４００へ通知する。
【００９４】
移動体端末４００は、報知情報判定部４０８にてセルＩＤを判定できるように、ＨｅＮＢ１００が使用するダミーセルＩＤを予め記憶しているとする。
【００９５】
移動体端末４００がＨｅＮＢ１００のセルエリアに近付くと、ＨｅＮＢ１００から送信される同期信号を受信できるようになる。移動体端末４００は、何らかの同期信号を受信できるか否かを定期的またはイベント毎に判断する。
【００９６】
ここで、移動体端末４００は、ＨｅＮＢ１００の提供するセルエリア内で周波数ｆ２についてセルサーチを行ったとする（シーケンスＳＱ１０６）。そして、移動体端末４００は周波数ｆ２のコンポーネントキャリア（ここでは、ＳＣＣ）からの同期信号を受信し、そのＳＣＣで送信される報知情報を受信する（シーケンスＳＱ１０８）。
【００９７】
移動体端末４００の報知情報判定部４０８は、ＳＣＣから受信した報知情報に含まれるセルＩＤ（ダミーセルＩＤ）の値を抽出し、予め記憶しているダミーセルＩＤと一致するか否かを比較する（シーケンスＳＱ１１０）。移動体端末４００は、受信した報知情報に含まれるセルＩＤがダミーセルＩＤと一致する場合には、受信した報知情報に対応するコンポーネントキャリアをＳＣＣであると判断して、ハンドオーバの対象セルではないと決定する。
【００９８】
上述の処理と並行して、あるいは上述の処理の後、移動体端末４００は、ＨｅＮＢ１００の提供するセルエリア内で周波数ｆ１についてセルサーチを行ったとする（シーケンスＳＱ１１２）。そして、移動体端末４００は周波数ｆ１のコンポーネントキャリア（ここでは、ＰＣＣ）からの同期信号を受信し、そのＰＣＣで送信される報知情報を受信する（シーケンスＳＱ１１４）。
【００９９】
移動体端末４００の報知情報判定部４０８は、ＰＣＣから受信した報知情報に含まれるセルＩＤ（通常のセルＩＤ）の値を抽出し、予め記憶しているダミーセルＩＤと一致するか否かを比較する（シーケンスＳＱ１１６）。移動体端末４００は、受信した報知情報に含まれるセルＩＤがダミーセルＩＤと一致しない場合には、受信した報知情報に対応するコンポーネントキャリアをＰＣＣであると判断して、ハンドオーバの対象セルであると決定する。
【０１００】
移動体端末４００は、上述のような報知情報に含まれるセルＩＤがダミーセルＩＤと一致するか否かの判断に基づいて、ハンドオーバ対象となるコンポーネントキャリア（セル）を特定し、当該特定したハンドオーバ対象となるコンポーネントキャリア（セル）との間で、ハンドオーバ準備手続を開始する（シーケンスＳＱ１１８）。すなわち、移動体端末４００は、ｅＮＢ２００と通信接続中において、ＨｅＮＢ１００から主たる周波数帯（ＰＣＣ）を識別するための情報を受信すると、当該情報によって特定される周波数帯をＨｅＮＢ１００へのハンドオーバの対象として決定する。
【０１０１】
移動体端末４００からハンドオーバ準備を要求されたＨｅＮＢ１００は、コアネットワーク制御装置３００に対して、コアネットワークを介してＳＣＣへのルーティングが要求されるデータをＰＣＣへルーティングするようにルーティング変更を要求する（シーケンスＳＱ１２０）。これは、データが、現段階でハンドオーバの対象セルではないＳＣＣへルーティングされることを回避するためである。より具体的には、ＨｅＮＢ１００は、移動体端末４００へのデータは、ＰＣＣに割当てられている通常のセルＩＤへルーティングするように要求する。
【０１０２】
そして、移動体端末４００が特定した周波数帯（ＰＣＣ）を用いた要求に応答して、ｅＮＢ２００とＨｅＮＢ１００との間でハンドオーバが実行される。ソース基地局であるｅＮＢ２００とターゲット基地局であるＨｅＮＢ１００との間でハンドオーバ手続が完了すると（シーケンスＳＱ１２２）、移動体端末４００によるＨｅＮＢ１００が提供するＰＣＣ（セル）へのハンドオーバが完了する。これによって、移動体端末４００は、まずＰＣＣによってＨｅＮＢ１００と通信を行う。すなわち、移動体端末４００は、ｅＮＢ２００のＰＣＣと通信接続中になる（シーケンスＳＱ１２４）。
【０１０３】
続いて、ＨｅＮＢ１００は、移動体端末４００がキャリアアグリゲーションを利用できるように、スケジューリングを行う。すなわち、ＨｅＮＢ１００のＰＣＣスケジューラ１１２およびＳＣＣスケジューラ１１４は、ＰＣＣおよびＳＣＣに含まれる任意のリソースを移動体端末４００に対してそれぞれ割当てる（シーケンスＳＱ１２６）。そして、ＨｅＮＢ１００は、リソース割当ての結果をＰＣＣで移動体端末４００へ通知する（シーケンスＳＱ１２８）。
【０１０４】
シーケンスＳＱ１２８において割当てられたリソースがＳＣＣを含む場合、移動体端末４００は、ＨｅＮＢ１００がＰＣＣに加えてＳＣＣを提供していることを検知し、ＨｅＮＢ１００との間でキャリアアグリゲーションを確立する。すなわち、移動体端末４００は、ＨｅＮＢ１００が提供するＳＣＣに対してキャリアアグリゲーション手続を行い、ＰＣＣに加えてＳＣＣも通信対象とする（シーケンスＳＱ１３０）。このキャリアアグリゲーション手続によって、移動体端末４００は、ｅＮＢ２００のＳＣＣとも通信接続中になる（シーケンスＳＱ１３２）。すなわち、移動体端末４００は、複数の周波数帯（コンポーネントキャリア）を使用してＨｅＮＢ１００と通信する。
【０１０５】
その後、ＨｅＮＢ１００は、コアネットワーク制御装置３００（コアネットワーク３５０）から、通常のセルＩＤに基づいてルーティングされてきた何らかのデータを受信すると、ＰＣＣおよびＳＣＣに含まれるリソースへスケジューリングする（シーケンスＳＱ１３６）。すなわち、ＨｅＮＢ１００のＰＣＣスケジューラ１１２およびＳＣＣスケジューラ１１４は、移動体端末４００へ送信すべきデータを、自らが割当てた移動体端末４００に対するＰＣＣおよびＳＣＣに含まれる任意のリソースへスケジューリングする。そして、ＨｅＮＢ１００は、スケジューリングの結果を移動体端末４００へ通知する（シーケンスＳＱ１３８およびＳＱ１４０）。
【０１０６】
このようにして、移動体端末４００は、ＰＣＣおよびＳＣＣを用いて、ＨｅＮＢ１００と通信を行う。
【０１０７】
［ｅ３：処理フロー］
次に、図１０を参照して、実施の形態１に従う移動体端末４００における処理フローについて説明する。図１０は、実施の形態１に従う無線通信システムＳＹＳの移動体端末４００におけるハンドオーバに係る処理手順を示すフローチャートである。
【０１０８】
まず、移動体端末４００は、マクロセルに在圏中であり、かつ通信接続中であるか否かを判断する（ステップＳ１００）。マクロセルに在圏中ではなく、または通信接続中ではない場合（ステップＳ１００においてＮＯの場合）には、通常のハンドオーバ処理が実行される（ステップＳ１０２）。
【０１０９】
マクロセルに在圏中であり、かつ通信接続中である場合（ステップＳ１００においてＹＥＳの場合）には、移動体端末４００は、セルサーチを実行する（ステップＳ１０４）。続いて、移動体端末４００は、ホームセルのコンポーネントキャリアを示すＰＣＩを含む同期信号を受信したか否かを判断する（ステップＳ１０６）。ホームセルのコンポーネントキャリアを示すＰＣＩを含む同期信号を受信していない場合（ステップＳ１０６においてＮＯの場合）には、ステップＳ１０４以下の処理が再度実行される。
【０１１０】
ホームセルのコンポーネントキャリアを示すＰＣＩを含む同期信号を受信した場合（ステップＳ１０６においてＹＥＳの場合）には、移動体端末４００は、ホームセルのコンポーネントキャリアの報知情報を受信したか否かを判断する（ステップＳ１０８）。ホームセルのコンポーネントキャリアの報知情報を受信していない場合（ステップＳ１０８においてＮＯの場合）には、ステップＳ１０４以下の処理が再度実行される。
【０１１１】
ホームセルのコンポーネントキャリアの報知情報を受信した場合（ステップＳ１０６においてＹＥＳの場合）には、移動体端末４００は、受信した報知情報に含まれるセルＩＤを抽出するとともに、抽出したセルＩＤが予め記憶しているダミーセルＩＤと一致するか否かを判断する（ステップＳ１１０）。
【０１１２】
報知情報に含まれるセルＩＤが予め記憶しているダミーセルＩＤと一致した場合（ステップＳ１１０においてＹＥＳの場合）、移動体端末４００は、当該報知情報の送信元のコンポーネントキャリア（セル）をＳＣＣであると判断する（ステップＳ１１２）。そして、移動体端末４００は、当該報知情報の送信元のコンポーネントキャリア（セル）をハンドオーバの対象セルではないと決定する（ステップＳ１１４）。そして、ステップＳ１０４以下の処理が再度実行される。
【０１１３】
これに対して、報知情報に含まれるセルＩＤが予め記憶しているダミーセルＩＤと一致していない場合（ステップＳ１１０においてＮＯの場合）、移動体端末４００は、当該報知情報の送信元のコンポーネントキャリア（セル）をＰＣＣであると判断する（ステップＳ１２２）。そして、移動体端末４００は、当該報知情報の送信元のコンポーネントキャリア（セル）をハンドオーバの対象セルであると決定する（ステップＳ１２４）。そして、移動体端末４００は、ハンドオーバの対象セルであると決定したコンポーネントキャリア（セル）について、ＨｅＮＢ１００との間でハンドオーバ準備手続を開始する（ステップＳ１２６）。そして、ＨｅＮＢ１００へのｉｎｂｏｕｎｄハンドオーバが完了すると、処理は終了する。
【０１１４】
［ｅ４：利点］
実施の形態１によれば、移動体端末４００は、セルサーチによってＰＣＣおよびＳＣＣをそれぞれ測定した際に、互いに異なるセルＩＤを含む報知情報を受信する。これによって、移動体端末４００は、性質の異なるコンポーネントキャリアを識別することができる。そして、ＳＣＣからはダミーセルＩＤを含む報知情報が送信されるので、このダミーセルＩＤを含む報知情報を受信するか否かに基づいて、移動体端末４００は、複数のコンポーネントキャリアが提供されている場合であっても、ハンドオーバの対象となるコンポーネントキャリア（セル）を特定することができる。
【０１１５】
すなわち、受信した報知情報に含まれるセルＩＤが予め記憶しているダミーセルＩＤと一致する場合には、当該報知情報を送信したコンポーネントキャリアをハンドオーバの対象セルから除外することができる。そのため、ハンドオーバ先として不適格なＳＣＣを除外して、ＰＣＣのみをハンドオーバの対象セルとして特定できる。これによって、ＰＣＣだけをハンドオーバの対象として絞り込むことができるので、ハンドオーバ先に対するｍｅａｓｕｍｅｎｔといったハンドオーバ準備手続をより簡素化できる。その結果、マクロセルからホームセルへのｉｎｂｏｕｎｄハンドオーバをより短時間で行うことができる。さらに、移動体端末４００における消費電力を低減することもできる。
【０１１６】
＜Ｆ：実施の形態２＞
［ｆ１：概要］
実施の形態２においては、キャリアアグリゲーションに使用される複数の周波数帯（コンポーネントキャリア）のうち、主たる周波数帯（ＰＣＣ）を識別するための情報を、それ以外の周波数帯（ＳＣＣ）とは区別可能な態様で移動体端末４００へ通知する例として、無効な報知情報を用いる形態について説明する。
【０１１７】
図１１は、実施の形態２に従うキャリアアグリゲーション時の報知情報の内容を説明するための模式図である。図１１に示すように、実施の形態２においては、ＰＣＣからは（通常の）セルＩＤを含む報知情報を送信する一方で、ＳＣＣからは有効な報知情報を送信しないようにする。なお、「有効な報知情報を送信しない」とは、報知情報を全く送信しない場合に加えて、無効な値（ｎｕｌｌ値）に設定された報知情報を送信する場合を含む。
【０１１８】
このように、ＨｅＮＢ１００は、主たる周波数帯（ＰＣＣ）を使用して対応する識別情報を送信するとともに、それ以外の周波数帯（ＳＣＣ）については識別情報を送信しない。すなわち、ＰＣＣからはその周波数帯（周波数ｆ１）を用いてセルＩＤを含む報知情報が送信され、ＳＣＣからはその周波数帯（周波数ｆ２）についての報知情報が送信されない。
【０１１９】
移動体端末４００は、有効な報知情報を受信できるか否かを判断する。移動体端末４００は、有効な報知情報を受信できない場合には、当該報知情報の送信元のコンポーネントキャリア（セル）がＳＣＣであると判断し、ハンドオーバの対象セルとはしない。これに対して、移動体端末４００は、有効な報知情報を受信できた場合には、当該報知情報の送信元のコンポーネントキャリア（セル）がＰＣＣであると判断し、ハンドオーバの対象セルとする。なお、ＬＴＥ／ＬＴＥ−Ａ規格に従えば、有効な報知情報を受信できない場合には、移動体端末４００は、当該報知情報の送信元のコンポーネントキャリア（セル）を「ｂａｒｒｅｄ  ｃｅｌｌ」と認識する。
【０１２０】
そして、移動体端末４００は、ハンドオーバの対象であるコンポーネントキャリアが決定されると、当該コンポーネントキャリア（セル）を管理する基地局装置（ＨｅＮＢ１００）との間でハンドオーバ準備手続を開始する。
【０１２１】
このとき、基地局装置（ＨｅＮＢ１００）は、ＳＣＣへのデータのルーティングが発生することを回避するために、コアネットワーク制御装置３００に対して、コアネットワーク３５０を介してＳＣＣへのルーティングが要求されるデータをＰＣＣへルーティングするように要求する。そして、ハンドオーバ完了後、移動体端末４００とＨｅＮＢ１００との間でキャリアアグリゲーションが確立すると、基地局装置（ＨｅＮＢ１００）は、ＰＣＣのセルＩＤを宛先とするデータをＰＣＣおよびＳＣＣへスケジューリングする。
【０１２２】
すなわち、ＨｅＮＢ１００は、上位ネットワークであるコアネットワーク３５０に対して、主たる周波数（ＰＣＣ）帯以外の周波数帯（ＳＣＣ）に関連付けられたセルへのデータを主たる周波数帯に関連付けられたセルへ転送するように通知する。そして、ＨｅＮＢ１００は、コアネットワーク３５０から受信した主たる周波数帯に関連付けられたセル宛のデータを、主たる周波数帯および主たる周波数帯以外の周波数帯を用いて移動体端末４００へ送信する。
【０１２３】
このような処理によって、移動体端末４００とＨｅＮＢ１００との間では、複数の周波数帯（コンポーネントキャリア）を用いたより高速な通信が可能になる。
【０１２４】
［ｆ２：処理シーケンス］
次に、図１２を参照して、実施の形態２に従う処理シーケンスについて説明する。図１２は、実施の形態２に従う無線通信システムＳＹＳにおけるハンドオーバ動作を示すシーケンスチャートである。
【０１２５】
図１２を参照して、ある時点の状態として、図１に示すように、移動体端末４００がｅＮＢ２００（例えば、図１に示すｅＮＢ２００−１）と通信接続中であるとする（シーケンスＳＱ２００）。ここで、ｅＮＢ２００−１がハンドオーバ動作のソース基地局であり、ＨｅＮＢ１００がハンドオーバ動作のターゲット基地局であるとする。
【０１２６】
ｅＮＢ２００−１に隣接するＨｅＮＢ１００は、ＰＣＣ（周波数ｆ１）および１つのＳＣＣ（周波数ｆ１）を使用したキャリアアグリゲーションを行っているとする。ＨｅＮＢ１００は、ＰＣＩ生成部１０４にて生成されたＰＣＩを含む同期信号、および、報知情報生成部１０６にて生成された通常のセルＩＤを含む報知情報を、アンテナ送受信部１０２からＰＣＣにて送信する（シーケンスＳＱ２０２）。また、ＨｅＮＢ１００は、ＰＣＩ生成部１０４にて生成されたＰＣＩを含む同期信号を、アンテナ送受信部１０２からＳＣＣにて送信する（シーケンスＳＱ２０４）。なお、同期信号および報知情報の送信タイミングは、互いに任意に設定できる。
【０１２７】
移動体端末４００は、報知情報判定部４０８にてセルＩＤを判定できるように、ＨｅＮＢ１００が使用する有効ではない報知情報、または、無効な報知情報を予め記憶しているとする。
【０１２８】
移動体端末４００がＨｅＮＢ１００のセルエリアに近付くと、ＨｅＮＢ１００から送信される同期信号を受信できるようになる。移動体端末４００は、何らかの同期信号を受信できるか否かを定期的またはイベント毎に判断する。
【０１２９】
ここで、移動体端末４００は、ＨｅＮＢ１００の提供するセルエリア内で周波数ｆ２についてセルサーチを行ったとする（シーケンスＳＱ２０６）。そして、移動体端末４００は周波数ｆ２のコンポーネントキャリア（ここでは、ＳＣＣ）からの同期信号を受信するが、そのＳＣＣで送信される有効な報知情報については受信できない（シーケンスＳＱ２０８）。
【０１３０】
移動体端末４００の報知情報判定部４０８は、ＳＣＣから受信した報知情報を検証し、有効な報知情報を受信したか否かを判定する（シーケンスＳＱ２１０）。移動体端末４００は、有効な報知情報を受信したと判定した場合には、対応するコンポーネントキャリアをＳＣＣであると判断して、ハンドオーバの対象セルではないと決定する。
【０１３１】
上述の処理と並行して、あるいは上述の処理の後、移動体端末４００は、ＨｅＮＢ１００の提供するセルエリア内で周波数ｆ１についてセルサーチを行ったとする（シーケンスＳＱ２１２）。そして、移動体端末４００は周波数ｆ１のコンポーネントキャリア（ここでは、ＰＣＣ）からの同期信号を受信し、そのＰＣＣで送信される報知情報を受信する（シーケンスＳＱ２１４）。
【０１３２】
移動体端末４００の報知情報判定部４０８は、ＰＣＣから受信した報知情報を検証し、有効な報知情報を受信したか否かを判定する（シーケンスＳＱ２１６）。移動体端末４００は、有効な報知情報を受信したと判定した場合には、対応するコンポーネントキャリアをＰＣＣであると判断して、ハンドオーバの対象セルであると決定する。
【０１３３】
移動体端末４００は、上述のような有効な報知情報を受信できたか否かの判断に基づいて、ハンドオーバ対象となるコンポーネントキャリア（セル）を特定し、当該特定したハンドオーバ対象となるコンポーネントキャリア（セル）との間で、ハンドオーバ準備手続を開始する（シーケンスＳＱ２１８）。
【０１３４】
移動体端末４００からハンドオーバ準備を要求されたＨｅＮＢ１００は、コアネットワーク制御装置３００に対して、コアネットワークを介してＳＣＣへのルーティングが要求されるデータをＰＣＣへルーティングするようにルーティング変更を要求する（シーケンスＳＱ２２０）。これは、データが、現段階でハンドオーバの対象セルではないＳＣＣへルーティングされることを回避するためである。より具体的には、ＨｅＮＢ１００は、移動体端末４００へのデータは、ＰＣＣに割当てられている通常のセルＩＤへルーティングするように要求する。
【０１３５】
ソース基地局であるｅＮＢ２００とターゲット基地局であるＨｅＮＢ１００との間でハンドオーバ手続が完了すると（シーケンスＳＱ２２２）、移動体端末４００によるＨｅＮＢ１００が提供するＰＣＣ（セル）へのハンドオーバが完了する。これによって、移動体端末４００は、まずＰＣＣによってＨｅＮＢ１００と通信を行う。すなわち、移動体端末４００は、ｅＮＢ２００のＰＣＣと通信接続中になる（シーケンスＳＱ２２４）。
【０１３６】
続いて、ＨｅＮＢ１００は、移動体端末４００がキャリアアグリゲーションを利用できるように、スケジューリングを行う。すなわち、ＨｅＮＢ１００のＰＣＣスケジューラ１１２およびＳＣＣスケジューラ１１４は、ＰＣＣおよびＳＣＣに含まれる任意のリソースを移動体端末４００に対してそれぞれ割当てる（シーケンスＳＱ２２６）。そして、ＨｅＮＢ１００は、リソース割当ての結果をＰＣＣで移動体端末４００へ通知する（シーケンスＳＱ２２８）。
【０１３７】
シーケンスＳＱ２２８において割当てられたリソースがＳＣＣを含む場合、移動体端末４００は、ＨｅＮＢ１００がＰＣＣに加えてＳＣＣを提供していることを検知し、ＨｅＮＢ１００との間でキャリアアグリゲーションを確立する。すなわち、移動体端末４００は、ＨｅＮＢ１００が提供するＳＣＣに対してキャリアアグリゲーション手続を行い、ＰＣＣに加えてＳＣＣも通信対象とする（シーケンスＳＱ２３０）。このキャリアアグリゲーション手続によって、移動体端末４００は、ｅＮＢ２００のＳＣＣとも通信接続中になる（シーケンスＳＱ２３２）。
【０１３８】
その後、ＨｅＮＢ１００は、コアネットワーク制御装置３００（コアネットワーク３５０）から、通常のセルＩＤに基づいてルーティングされてきた何らかのデータを受信すると、ＰＣＣおよびＳＣＣに含まれるリソースへスケジューリングする（シーケンスＳＱ２３６）。すなわち、ＨｅＮＢ１００のＰＣＣスケジューラ１１２およびＳＣＣスケジューラ１１４は、移動体端末４００へ送信すべきデータを、自らが割当てた移動体端末４００に対するＰＣＣおよびＳＣＣに含まれる任意のリソースへスケジューリングする。そして、ＨｅＮＢ１００は、スケジューリングの結果を移動体端末４００へ通知する（シーケンスＳＱ２３８およびＳＱ２４０）。
【０１３９】
このようにして、移動体端末４００は、ＰＣＣおよびＳＣＣを用いて、ＨｅＮＢ１００と通信を行う。
【０１４０】
［ｆ３：処理フロー］
次に、図１３を参照して、実施の形態２に従う移動体端末４００における処理フローについて説明する。図１３は、実施の形態２に従う無線通信システムＳＹＳの移動体端末４００におけるハンドオーバに係る処理手順を示すフローチャートである。
【０１４１】
まず、移動体端末４００は、マクロセルに在圏中であり、かつ通信接続中であるか否かを判断する（ステップＳ２００）。マクロセルに在圏中ではなく、または通信接続中ではない場合（ステップＳ２００においてＮＯの場合）には、通常のハンドオーバ処理が実行される（ステップＳ２０２）。
【０１４２】
マクロセルに在圏中であり、かつ通信接続中である場合（ステップＳ２００においてＹＥＳの場合）には、移動体端末４００は、セルサーチを実行する（ステップＳ２０４）。続いて、移動体端末４００は、ホームセルのコンポーネントキャリアを示すＰＣＩを含む同期信号を受信したか否かを判断する（ステップＳ２０６）。ホームセルのコンポーネントキャリアを示すＰＣＩを含む同期信号を受信していない場合（ステップＳ２０６においてＮＯの場合）には、ステップＳ２０４以下の処理が再度実行される。
【０１４３】
ホームセルのコンポーネントキャリアを示すＰＣＩを含む同期信号を受信した場合（ステップＳ２０６においてＹＥＳの場合）には、移動体端末４００は、ホームセルのコンポーネントキャリアの報知情報を受信したか否かを判断する（ステップＳ２０８）。ホームセルのコンポーネントキャリアの報知情報を受信していない場合（ステップＳ２０８においてＮＯの場合）には、ステップＳ２０４以下の処理が再度実行される。
【０１４４】
ホームセルのコンポーネントキャリアの報知情報を受信した場合（ステップＳ２０８においてＹＥＳの場合）には、移動体端末４００は、有効な報知情報を受信しているか否かを判断する（ステップＳ２１０）。
【０１４５】
有効な報知情報を受信していない場合（ステップＳ２１０においてＮＯの場合）、移動体端末４００は、当該報知情報の送信元のコンポーネントキャリア（セル）をＳＣＣであると判断する（ステップＳ２１２）。そして、移動体端末４００は、当該報知情報の送信元のコンポーネントキャリア（セル）をハンドオーバの対象セルではないと決定する（ステップＳ２１４）。そして、ステップＳ２０４以下の処理が再度実行される。
【０１４６】
これに対して、有効な報知情報を受信している場合（ステップＳ２１０においてＹＥＳの場合）、移動体端末４００は、当該報知情報の送信元のコンポーネントキャリア（セル）をＰＣＣであると判断する（ステップＳ２２２）。そして、移動体端末４００は、当該報知情報の送信元のコンポーネントキャリア（セル）をハンドオーバの対象セルであると決定する（ステップＳ２２４）。そして、移動体端末４００は、ハンドオーバの対象セルであると決定したコンポーネントキャリア（セル）について、ＨｅＮＢ１００との間でハンドオーバ準備手続を開始する（ステップＳ２２６）。そして、ＨｅＮＢ１００へのｉｎｂｏｕｎｄハンドオーバが完了すると、処理は終了する。
【０１４７】
［ｆ４：利点］
実施の形態２によれば、移動体端末４００は、セルサーチによってＰＣＣおよびＳＣＣをそれぞれ測定した際に、ＰＣＣのみから有効な報知情報を受信する。これによって、移動体端末４００は、性質の異なるコンポーネントキャリアを識別することができる。そして、ＳＣＣからは無効な報知情報が送信されるので、有効な報知情報を受信するか否かに基づいて、移動体端末４００は、複数のコンポーネントキャリアが提供されている場合であっても、ハンドオーバの対象となるコンポーネントキャリア（セル）を特定することができる。ＳＣＣからは有効な報知情報を取得できなので、ハンドオーバの対象セルにはならない。
【０１４８】
すなわち、受信した報知情報が無効である場合には、当該報知情報を送信したコンポーネントキャリアをハンドオーバの対象セルから除外することができる。そのため、ハンドオーバ先として不適格なＳＣＣを除外して、ＰＣＣのみをハンドオーバの対象セルとして特定できる。これによって、ＰＣＣだけをハンドオーバの対象として絞り込むことができるので、ハンドオーバ先に対するｍｅａｓｕｍｅｎｔといったハンドオーバ準備手続をより簡素化できる。その結果、マクロセルからホームセルへのｉｎｂｏｕｎｄハンドオーバをより短時間で行うことができる。さらに、移動体端末４００における消費電力を低減することもできる。
【０１４９】
＜Ｇ：実施の形態３＞
［ｇ１：概要］
実施の形態３においては、キャリアアグリゲーションに使用される複数の周波数帯（コンポーネントキャリア）のうち、主たる周波数帯（ＰＣＣ）を識別するための情報を、それ以外の周波数帯（ＳＣＣ）とは区別可能な態様で移動体端末４００へ通知する例として、物理セルＩＤ（ＰＣＩ）を用いる形態について説明する。
【０１５０】
図１４は、実施の形態３に従うキャリアアグリゲーション時の同期信号の内容を説明するための模式図である。図１４に示すように、実施の形態３においては、ＰＣＣから送信される同期信号には、ＰＣＩとして通常のホームセルに使用される値が設定される一方で、ＳＣＣから送信される同期信号には、予約された特殊な値が設定されるようにする。すなわち、ＨｅＮＢ１００は、主たる周波数帯（ＰＣＣ）を使用して、通常のホームセルに対応したＰＣＩを含む対応する識別情報を送信するとともに、それ以外の周波数帯（ＳＣＣ）を使用して予約された特殊な値が設定されたＰＣＩを含む無効な識別情報を送信する。このとき、識別情報は、ＰＣＩを含む。
【０１５１】
このように、ＰＣＣからはその周波数帯（周波数ｆ１）を用いて通常使用されるＰＣＩを含む同期信号が送信され、ＳＣＣからはその周波数帯（周波数ｆ２）を用いて通常使用されない予約されたＰＣＩを含む同期信号が送信される。すなわち、ＨｅＮＢ１００は、周波数帯に対応する識別情報を同期信号に含めて送信する。
【０１５２】
移動体端末４００は、ＰＣＩの予約された特殊な値を予め記憶しており、受信した同期信号に含まれるＰＣＩが予約された特殊な値と一致するか否かを判断する。ＰＣＩの予約された特殊な値としては、ＰＣＩの値として通常使用される範囲外の任意の値が選択される。なお、キャリアアグリゲーションでは複数のＳＣＣを利用可能であり、この場合には、複数のＳＣＣに対して、１つの予約された特殊な値を共通に設定してもよい。また、移動体端末４００の記憶容量に応じて、記憶可能な範囲で、予約された特殊な値を複数設定するようにしてもよい。
【０１５３】
移動体端末４００は、受信した同期信号に含まれるＰＣＩが予約された特殊な値である場合には、当該同期信号の送信元のコンポーネントキャリア（セル）がＳＣＣであると判断し、ハンドオーバの対象セルとはしない。これに対して、移動体端末４００は、受信した同期信号に含まれるＰＣＩが通常使用される範囲の値である場合には、当該同期信号の送信元のコンポーネントキャリア（セル）がＰＣＣであると判断し、ハンドオーバの対象セルとする。
【０１５４】
そして、移動体端末４００は、ハンドオーバの対象であるコンポーネントキャリアが決定されると、当該コンポーネントキャリア（セル）を管理する基地局装置（ＨｅＮＢ１００）との間でハンドオーバ準備手続を開始する。
【０１５５】
このとき、基地局装置（ＨｅＮＢ１００）は、ＳＣＣへのデータのルーティングが発生することを回避するために、コアネットワーク制御装置３００に対して、コアネットワーク３５０を介してＳＣＣへのルーティングが要求されるデータをＰＣＣへルーティングするように要求する。そして、ハンドオーバ完了後、移動体端末４００とＨｅＮＢ１００との間でキャリアアグリゲーションが確立すると、基地局装置（ＨｅＮＢ１００）は、ＰＣＣのセルＩＤを宛先とするデータをＰＣＣおよびＳＣＣへスケジューリングする。
【０１５６】
すなわち、ＨｅＮＢ１００は、上位ネットワークであるコアネットワーク３５０に対して、主たる周波数（ＰＣＣ）帯以外の周波数帯（ＳＣＣ）に関連付けられたセルへのデータを主たる周波数帯に関連付けられたセルへ転送するように通知する。そして、ＨｅＮＢ１００は、コアネットワーク３５０から受信した主たる周波数帯に関連付けられたセル宛のデータを、主たる周波数帯および主たる周波数帯以外の周波数帯を用いて移動体端末４００へ送信する。
【０１５７】
このような処理によって、移動体端末４００とＨｅＮＢ１００との間では、複数の周波数帯（コンポーネントキャリア）を用いたより高速な通信が可能になる。
【０１５８】
［ｇ２：処理シーケンス］
次に、図１５を参照して、実施の形態３に従う処理シーケンスについて説明する。図１５は、実施の形態３に従う無線通信システムＳＹＳにおけるハンドオーバ動作を示すシーケンスチャートである。
【０１５９】
図１５を参照して、ある時点の状態として、図１に示すように、移動体端末４００がｅＮＢ２００（例えば、図１に示すｅＮＢ２００−１）と通信接続中であるとする（シーケンスＳＱ３００）。ここで、ｅＮＢ２００−１がハンドオーバ動作のソース基地局であり、ＨｅＮＢ１００がハンドオーバ動作のターゲット基地局であるとする。
【０１６０】
ｅＮＢ２００−１に隣接するＨｅＮＢ１００は、ＰＣＣ（周波数ｆ１）および１つのＳＣＣ（周波数ｆ２）を使用したキャリアアグリゲーションを行っているとする。ＨｅＮＢ１００は、ＰＣＩ生成部１０４にて生成された通常使用される範囲内の値（通常のホームセル基地局に使用される値）に設定されたＰＣＩを含む同期信号、および、報知情報生成部１０６にて生成されたセルＩＤを含む報知情報を、アンテナ送受信部１０２からＰＣＣにて送信する（シーケンスＳＱ３０２）。また、ＨｅＮＢ１００は、ＰＣＩ生成部１０４にて生成された予約された特殊な値に設定されたＰＣＩを含む同期信号、および、報知情報生成部１０６にて生成されたセルＩＤを含む報知情報を、アンテナ送受信部１０２からＳＣＣにて送信する（シーケンスＳＱ３０４）。なお、同期信号および報知情報の送信タイミングは、互いに任意に設定できる。また、ＳＣＣで送信する報知情報に含まれるセルＩＤは、上述の実施の形態１において説明したダミーセルＩＤでもよい。
【０１６１】
移動体端末４００は、ＰＣＩ判定部４０６にてＰＣＩを判定できるように、ＰＣＩの予約された特殊な値を予め記憶しているとする。
【０１６２】
移動体端末４００がＨｅＮＢ１００のセルエリアに近付くと、ＨｅＮＢ１００から送信される同期信号を受信できるようになる。移動体端末４００は、何らかの同期信号を受信できるか否かを定期的またはイベント毎に判断する。
【０１６３】
ここで、移動体端末４００は、ＨｅＮＢ１００の提供するセルエリア内で周波数ｆ２についてセルサーチを行ったとする（シーケンスＳＱ３０６）。そして、移動体端末４００は周波数ｆ２のコンポーネントキャリア（ここでは、ＳＣＣ）からの同期信号を受信する（シーケンスＳＱ３０８）。
【０１６４】
移動体端末４００のＰＣＩ判定部４０６は、ＳＣＣから受信した同期信号に含まれるＰＣＩの値を抽出し、予約された特殊な値と一致するか否かを比較する（シーケンスＳＱ３１０）。移動体端末４００は、受信した同期信号に含まれるＰＣＩが予約された特殊な値と一致する場合には、受信した同期信号に対応するコンポーネントキャリアをＳＣＣであると判断して、ハンドオーバの対象セルではないと決定する。
【０１６５】
上述の処理と並行して、あるいは上述の処理の後、移動体端末４００は、ＨｅＮＢ１００の提供するセルエリア内で周波数ｆ１についてセルサーチを行ったとする（シーケンスＳＱ３１２）。そして、移動体端末４００は周波数ｆ１のコンポーネントキャリア（ここでは、ＰＣＣ）からの同期信号を受信する（シーケンスＳＱ３１４）。
【０１６６】
移動体端末４００のＰＣＩ判定部４０６は、ＰＣＣから受信した同期信号に含まれるＰＣＩの値を抽出し、予約された特殊な値と一致するか否かを比較する（シーケンスＳＱ３１６）。移動体端末４００は、受信した同期信号に含まれるＰＣＩが予約された特殊な値と一致しない場合（通常のホームセル基地局に使用される値ではない場合）には、受信した同期信号に対応するコンポーネントキャリアをＰＣＣであると判断して、ハンドオーバの対象セルであると決定する。
【０１６７】
移動体端末４００は、上述のような同期信号に含まれるＰＣＩの値が通常のホームセル基地局に使用される値であるか、あるいは予約された特殊な値であるかの判断に基づいて、ハンドオーバ対象となるコンポーネントキャリア（セル）を特定し、当該特定したハンドオーバ対象となるコンポーネントキャリア（セル）との間で、ハンドオーバ準備手続を開始する（シーケンスＳＱ３１８）。
【０１６８】
移動体端末４００からハンドオーバ準備を要求されたＨｅＮＢ１００は、コアネットワーク制御装置３００に対して、コアネットワークを介してＳＣＣへのルーティングが要求されるデータをＰＣＣへルーティングするようにルーティング変更を要求する（シーケンスＳＱ３２０）。これは、データが、現段階でハンドオーバの対象セルではないＳＣＣへルーティングされることを回避するためである。より具体的には、ＨｅＮＢ１００は、移動体端末４００へのデータは、ＰＣＣに割当てられている通常のセルＩＤへルーティングするように要求する。
【０１６９】
ソース基地局であるｅＮＢ２００とターゲット基地局であるＨｅＮＢ１００との間でハンドオーバ手続が完了すると（シーケンスＳＱ３２２）、移動体端末４００によるＨｅＮＢ１００が提供するＰＣＣ（セル）へのハンドオーバが完了する。これによって、移動体端末４００は、まずＰＣＣによってＨｅＮＢ１００と通信を行う。すなわち、移動体端末４００は、ｅＮＢ２００のＰＣＣと通信接続中になる（シーケンスＳＱ３２４）。
【０１７０】
続いて、ＨｅＮＢ１００は、移動体端末４００がキャリアアグリゲーションを利用できるように、スケジューリングを行う。すなわち、ＨｅＮＢ１００のＰＣＣスケジューラ１１２およびＳＣＣスケジューラ１１４は、ＰＣＣおよびＳＣＣに含まれる任意のリソースを移動体端末４００に対してそれぞれ割当てる（シーケンスＳＱ３２６）。そして、ＨｅＮＢ１００は、リソース割当ての結果をＰＣＣで移動体端末４００へ通知する（シーケンスＳＱ３２８）。
【０１７１】
シーケンスＳＱ３２８において割当てられたリソースがＳＣＣを含む場合、移動体端末４００は、ＨｅＮＢ１００がＰＣＣに加えてＳＣＣを提供していることを検知し、ＨｅＮＢ１００との間でキャリアアグリゲーションを確立する。すなわち、移動体端末４００は、ＨｅＮＢ１００が提供するＳＣＣに対してキャリアアグリゲーション手続を行い、ＰＣＣに加えてＳＣＣも通信対象とする（シーケンスＳＱ３３０）。このキャリアアグリゲーション手続によって、移動体端末４００は、ｅＮＢ２００のＳＣＣとも通信接続中になる（シーケンスＳＱ３３２）。
【０１７２】
その後、ＨｅＮＢ１００は、コアネットワーク制御装置３００（コアネットワーク３５０）から、通常のセルＩＤに基づいてルーティングされてきた何らかのデータを受信すると、ＰＣＣおよびＳＣＣに含まれるリソースへスケジューリングする（シーケンスＳＱ３３６）。すなわち、ＨｅＮＢ１００のＰＣＣスケジューラ１１２およびＳＣＣスケジューラ１１４は、移動体端末４００へ送信すべきデータを、自らが割当てた移動体端末４００に対するＰＣＣおよびＳＣＣに含まれる任意のリソースへスケジューリングする。そして、ＨｅＮＢ１００は、スケジューリングの結果を移動体端末４００へ通知する（シーケンスＳＱ３３８およびＳＱ３４０）。
【０１７３】
このようにして、移動体端末４００は、ＰＣＣおよびＳＣＣを用いて、ＨｅＮＢ１００と通信を行う。
【０１７４】
［ｇ３：処理フロー］
次に、図１６を参照して、実施の形態３に従う移動体端末４００における処理フローについて説明する。図１６は、実施の形態３に従う無線通信システムＳＹＳの移動体端末４００におけるハンドオーバに係る処理手順を示すフローチャートである。
【０１７５】
まず、移動体端末４００は、マクロセルに在圏中であり、かつ通信接続中であるか否かを判断する（ステップＳ３００）。マクロセルに在圏中ではなく、または通信接続中ではない場合（ステップＳ３００においてＮＯの場合）には、通常のハンドオーバ処理が実行される（ステップＳ３０２）。
【０１７６】
マクロセルに在圏中であり、かつ通信接続中である場合（ステップＳ３００においてＹＥＳの場合）には、移動体端末４００は、セルサーチを実行する（ステップＳ３０４）。続いて、移動体端末４００は、ホームセルのコンポーネントキャリアを示すＰＣＩを含む同期信号を受信したか否かを判断する（ステップＳ３０６）。ホームセルのコンポーネントキャリアを示すＰＣＩを含む同期信号を受信していない場合（ステップＳ３０６においてＮＯの場合）には、ステップＳ３０４以下の処理が再度実行される。
【０１７７】
ホームセルのコンポーネントキャリアを示すＰＣＩを含む同期信号を受信した場合（ステップＳ３０６においてＹＥＳの場合）には、移動体端末４００は、受信した同期情報に含まれるＰＣＩを抽出するとともに、抽出したＰＣＩの値が予約された特殊な値と一致するか否かを判断する（ステップＳ３１０）。
【０１７８】
抽出したＰＣＩの値が予約された特殊な値と一致する場合（ステップＳ３１０においてＹＥＳの場合）、移動体端末４００は、当該報知情報の送信元のコンポーネントキャリア（セル）をＳＣＣであると判断する（ステップＳ３１２）。そして、移動体端末４００は、当該報知情報の送信元のコンポーネントキャリア（セル）をハンドオーバの対象セルではないと決定する（ステップＳ３１４）。そして、ステップＳ３０４以下の処理が再度実行される。
【０１７９】
これに対して、抽出したＰＣＩの値が予約された特殊な値と一致していない場合（ステップＳ３１０においてＮＯの場合）、移動体端末４００は、当該報知情報の送信元のコンポーネントキャリア（セル）をＰＣＣであると判断する（ステップＳ３２２）。そして、移動体端末４００は、当該報知情報の送信元のコンポーネントキャリア（セル）をハンドオーバの対象セルであると決定する（ステップＳ３２４）。そして、移動体端末４００は、ハンドオーバの対象セルであると決定したコンポーネントキャリア（セル）について、ＨｅＮＢ１００との間でハンドオーバ準備手続を開始する（ステップＳ３２６）。そして、ＨｅＮＢ１００へのｉｎｂｏｕｎｄハンドオーバが完了すると、処理は終了する。
【０１８０】
［ｇ４：利点］
実施の形態３によれば、移動体端末４００は、セルサーチによってＰＣＣおよびＳＣＣをそれぞれ測定した際に、互いに異なるＰＣＩを含む同期情報を受信する。これによって、移動体端末４００は、性質の異なるコンポーネントキャリアを識別することができる。そして、ＳＣＣからは予約された特殊な値に設定されたＰＣＩを含む同期情報が送信されるので、この予約された特殊な値のＰＣＩを含む同期情報を受信するか否かに基づいて、移動体端末４００は、複数のコンポーネントキャリアが提供されている場合であっても、ハンドオーバの対象となるコンポーネントキャリア（セル）を特定することができる。
【０１８１】
すなわち、受信した同期情報に含まれるＰＣＩが予約された特殊な値と一致する場合には、当該同期情報を送信したコンポーネントキャリアをハンドオーバの対象セルから除外することができる。そのため、ハンドオーバ先として不適格なＳＣＣを除外して、ＰＣＣのみをハンドオーバの対象セルとして特定できる。これによって、ＰＣＣだけをハンドオーバの対象として絞り込むことができるので、ハンドオーバ先に対するｍｅａｓｕｍｅｎｔといったハンドオーバ準備手続をより簡素化できる。その結果、マクロセルからホームセルへのｉｎｂｏｕｎｄハンドオーバをより短時間で行うことができる。さらに、移動体端末４００における消費電力を低減することもできる。
【０１８２】
＜Ｈ．その他の実施の形態＞
上述の実施の形態１〜３に示した構成を適宜組合せることも可能である。
【０１８３】
上述の実施の形態１〜３においては、主として、小型の発展型無線基地局装置（ＨｅＮＢ）へのｉｎｂｏｕｎｄハンドオーバに着目して説明したが、本発明の対象となる基地局装置としては、小型の発展型無線基地局装置（ＨｅＮＢ）に限られることなく、マクロセルを提供する通常の発展型基地局装置（ｅＮＢ）や他の種類の基地局装置に関係するハンドオーバ動作に適用することもできる。
【０１８４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１８５】
１００  ＨｅＮＢ、１０１Ｃ，２０１Ｃ〜２０３Ｃ  セルエリア、１０２，２０２  アンテナ送受信部、１０４，２０４  ＰＣＩ生成部、１０６，２０６  報知情報生成部、１０８，２０８，４１２  通信制御部、１１０，２１０，３０４  コアネットワーク通信部、１１２  ＰＣＣスケジューラ、１１４  ＳＣＣスケジューラ、１５０，２５０  ゲートウェイ、２００  ｅＮＢ、２１２  スケジューラ、３００  コアネットワーク制御装置、３０２  主処理部、３０６  バックボーン通信部、３０８  データ格納部、３１０  ルーティングテーブル、３１２  在圏情報、３５０  コアネットワーク、４００  移動体端末、４０２  アンテナ、４０４  受信部、４０６  ＰＣＩ判定部、４０８  報知情報判定部、４１０  送信部、４１４  アプリケーション部、ＳＹＳ  無線通信システム。
【図１】
0005956769.tif 000002
【図２】
0005956769.tif 000003
【図３】
0005956769.tif 000004
【図４】
0005956769.tif 000005
【図５】
0005956769.tif 000006
【図６】
0005956769.tif 000007
【図７】
0005956769.tif 000008
【図８】
0005956769.tif 000009
【図９】
0005956769.tif 000010
【図１０】
0005956769.tif 000011
【図１１】
0005956769.tif 000012
【図１２】
0005956769.tif 000013
【図１３】
0005956769.tif 000014
【図１４】
0005956769.tif 000015
【図１５】
0005956769.tif 000016
【図１６】
0005956769.tif 000017